(57)【要約】  ショートメッセージをユーザ機器にルーティングする方法が記載されている。SMSCは、終端ユーザのHLRまたはHSSに、ルーティング要求を送信する。HLRまたはHSSは、ユーザに対する静的プロビジョニング設定を有し、これらの設定に従って要求を中継する。HLRまたはHSSはIP-SM-GWに要求を中継し、IP-SM-GWは、終端ユーザがIMSネットワークに接続しているかを動的に判断し、回線交換ネットワーク要素またはIMSネットワーク要素を介してメッセージの転送を決定する。
2018512022.tif 000002
【特許請求の範囲】
【請求項１】
ショートメッセージをユーザ機器にルーティングする方法であって、
（ａ）SMSCなどの発信ネットワーク要素が前記終端ユーザのHLRまたはHSSにルーティング要求を送信するステップと、
（ｂ）前記HLRまたは前記HSSがゲートウェイに前記要求を中継するステップと、
（ｃ）前記ゲートウェイが、前記終端ユーザがIMSネットワークに接続しているかを動的に判断し、それに応じて回線交換ネットワーク要素またはIMSネットワーク要素を介して前記メッセージの転送を決定するステップと、
を含む方法。
【請求項２】
前記ゲートウェイは、IP-SM-GWである、請求項１記載の方法。
【請求項３】
前記配信要求は、SMSCによって発信される請求項１または２のいずれか一項記載の方法。
【請求項４】
前記終端ユーザは、ボイス-オーバー-ロング-ターム-エボリューション（VoLTE）ユーザである請求項１乃至３のいずれか一項記載の方法。
【請求項５】
前記要求は、MAP-SRI-for SM要求である請求項１乃至４のいずれか一項記載の方法。
【請求項６】
前記HLRまたは前記HSSは、ユーザに対する静的プロビジョニング設定を有し、前記設定に従って前記要求を中継する請求項１乃至５のいずれか一項記載の方法。
【請求項７】
ステップ（ｃ）はまた、前記ゲートウェイが前記回線交換ドメイン内の前記終端ユーザの位置と状態とを判断すること含む請求項１乃至６のいずれか一項記載の方法。
【請求項８】
前記回線交換ドメイン内の前記ユーザの前記位置と前記状態とを取得するために、前記ゲートウェイは、前記受信されたルーティングクエリを前記HLRまたは前記HSSに送信する請求項７記載の方法。
【請求項９】
制御機能において、登録イベントパッケージの通知要請を送信し、前記終端ユーザの連絡先と前記終端ユーザ状態とともに通知を、前記制御機能から受信することによって、前記ゲートウェイはステップ（ｃ）を実行する請求項１乃至８のいずれか一項記載の方法。
【請求項１０】
前記制御機能は、前記ユーザに割り当てられたCSCFである請求項９記載の方法。
【請求項１１】
前記終端ユーザが割り当てられた前記S-CSCFを検出するために、前記ゲートウェイはI-CSCFに通知要請メッセージを送信する請求項１０記載の方法。
【請求項１２】
前記ゲートウェイは、前記通知において、前記終端ユーザの連絡先とS-CSCF URIとユーザ状態とを受信する請求項９乃至１１のいずれか一項記載の方法。
【請求項１３】
前記ゲートウェイは、個々の配信試行の間隔よりも長い前記イベントパッケージの前記通知要請の有効期間を設定する請求項９乃至１２のいずれか一項記載の方法。
【請求項１４】
前記終端ユーザが前記IMSネットワーク内にも回線交換ネットワーク内にも存在しない場合に、前記発信ネットワーク要素は通知を受信するステップと、次に前記メッセージの送信を再試行するステップとを更に具備する請求項１乃至１３のいずれか一項記載の方法。
【請求項１５】
前記通知は、配信エラー-コードを含む請求項１４記載の方法。
【請求項１６】
前記発信ネットワーク要素は、SMSCである請求項１４または１５のいずれか一項記載の方法。
【請求項１７】
前記発信ネットワーク要素は、前記終端ユーザのMSISDNのための前記HLRまたは前記HSS内のメッセージ待ちリストに自身を追加し、前記終端ユーザが前記IMSネットワークにおいて再び登録する場合、S-CSCFは前記ゲートウェイに通知し、前記ゲートウェイは次に前記HLRまたは前記HSSに通知する請求項１４乃至１６のいずれか一項記載の方法。
【請求項１８】
前記HLRまたは前記HSSへの前記通知は、前記HLRへのMAP-READY-FOR-SMを含み、前記HLRまたは前記HSSは、前記発信ネットワーク要素へ警報を送信し、次いで前記メッセージの新たな配信を試行する請求項１７記載の方法。
【請求項１９】
前記ゲートウェイによって、MAP-SEND-ROUTING-INFO-FOR-SMが受信され、または代わりにMAP-MT-FORWARD-SHORT-MESSAGEが受信された場合、前記ゲートウェイは交換を実行する請求項１乃至１８のいずれか一項記載の方法。
【請求項２０】
HLRまたはHSSと、ゲートウェイとを具備するモバイルネットワーク装置であって、
前記HLRまたは前記HSSは、ルーティング要求を前記ゲートウェイに中継するように構成されており、
前記ゲートウェイは、前記ルーティング要求の前記終端ユーザがIMSネットワークに接続しているかを動的に判断し、それに応じて回線交換ネットワーク要素またはIMSネットワーク要素を介して前記メッセージの転送を決定するように構成されているモバイルネットワーク装置。
【請求項２１】
前記ゲートウェイは、IP-SM-GWである請求項２０記載の装置。
【請求項２２】
前記HLRまたは前記HSSは、ユーザに対する静的プロビジョニング設定を有し、前記設定に従って前記要求を中継するように構成されている請求項２０または２１のいずれか一項記載の装置。
【請求項２３】
前記ゲートウェイは、前記回線交換ドメイン内の前記終端ユーザの位置と状態とを判断し、前記回線交換ドメイン内の前記ユーザの前記位置と前記状態とを取得するために、前記HLRまたは前記HSSへ前記受信されたルーティングクエリを送信するように構成されている請求項２０乃至２２のいずれか一項記載の装置。
【請求項２４】
前記ゲートウェイは、制御機能において登録イベントパッケージの通知要請を送信し、
前記終端ユーザの連絡先と前記終端ユーザ状態とともに通知を前記制御機能から受信するように構成されている請求項２０乃至２３のいずれか一項記載の装置。
【請求項２５】
前記ゲートウェイは、前記終端ユーザが割り当てられた前記S-CSCFを検出するために、通知要請メッセージをI-CSCFに送信し、前記通知において、前記終端ユーザの連絡先とS-CSCF URIとユーザ状態とを受信するように構成されている請求項２４記載の装置。
【請求項２６】
前記ゲートウェイは、個々の配信試行の間隔よりも長い前記イベントパッケージの前記通知要請の有効期間を設定するように構成されている請求項２４または２５のいずれか一項記載の装置。
【請求項２７】
デジタルプロセッサによって実行された場合、請求項１乃至１９のいずれか一項の方法が実行されるように構成されたソフトウェアを具備する非一時的なコンピュータ可読媒体。
【発明の詳細な説明】
【技術分野】
【０００１】
本発明は、メッセージングゲートウェイ（messaging gateways）に関するものであり、特に、ボイスオーバーIPを処理する機能を含んでいるメッセージングゲートウェイに関する。そのようなゲートウェイの一例は、IMSドメイン内のSMS-over-IPが、3GPP標準規格による回線交換（Circuit Switched：CS）ドメイン内のSMSCと相互作用することを提供するためのIPショート-メッセージゲートウェイ（IP Short-Message Gateway：IP-SM-GW）である。
【背景技術】
【０００２】
現在、そのゲートウェイは、第三者の登録要求を処理し、それらをHLRとHSSとに伝播する必要がある。これは、たとえ実際のメッセージングが行われなくても必要とされるオーバーヘッドである。より詳細は、3GPP標準規格によれば、IP-SM-GWは、SMS-over-IP特徴タグを有するIMSネットワークに登録するIMSユーザに対する第三者登録（Third Party Registration：TPR）要求を受信するIMSアプリケーションサーバ（AS）である。IP-SM-GW ASがTPRを受信する場合、IMS-ユーザに対するS-CSCFからの全ての登録イベント、再登録イベント、登録解除イベントを通知されるために（SIP NOTIFY）、登録イベントパッケージに通知要請を送信する（SIP SUBSCRIBE）。MAP-ANY-TIME-MODIFICATIONを通じて、HLR/HSSにIMS-ユーザの登録状態を伝播することは、IP-SM-GWの義務である。これは、SMSユーザがIMSネットワークを通じて接続されている場合、HLRがMAP-SEND-ROUTING-INFO-FOR-SM応答を通じてIMS位置情報をSMSCに戻すために必要である。たとえ、IP-SM-GWによって実行されなければならないメッセージング相互作用が無い場合でも、IP-SM-GWはすでにTPR要求と通知を処理し、HLR/HSSにこの情報を伝播しなければならない。
【０００３】
本発明は、この問題に対処する。
【用語解説】
【０００４】
AS…アプリケーションサーバ（Application Server）
SC…回線交換（Circuit Switched）
CSCF…コールセッション制御機能（Call Session Control Function）
I-CSCF…問い合わせCSCF（Interrogating CSCF）
IMP…IPマルチメディアシステム（IP Multimedia System）
IP-SM-GW…IPショートメッセージゲートウェイ（IP Short Message Gateway）
LTE…ロングタームエボリューション（Long Term Evolution）
MAP…モバイルアプリケーションパート（Mobile Application Part）
S-CSCF…サービングCSCF（Serving CSCF）
SIP…セッション初期化プロトコル（Session Initiation Protocol）
SMS…ショートメッセージサービス（Short Message Service）
SMSC…ショートメッセージサービスセンタ（Short Message Service Centre）
TPR…第三者登録（Third Party Registration）
VoLTE…ボイスオーバーLTE（Voice over LTE）
【発明の概要】
【０００５】
本発明によれば、ショートメッセージをユーザ機器にルーティングする方法であって、
（ａ）SMSCなどの発信ネットワーク要素が前記終端ユーザのHLRまたはHSSにルーティング要求を送信するステップと、
（ｂ）前記HLRまたは前記HSSがゲートウェイに前記要求を中継するステップと、
（ｃ）前記ゲートウェイが、前記終端ユーザがIMSネットワークに接続しているかを動的に判断し、それに応じて回線交換ネットワーク要素またはIMSネットワーク要素を介して前記メッセージの転送を決定するステップと
を含む方法が提供される。
【０００６】
一実施形態において、前記ゲートウェイは、IP-SM-GWである。一実施形態において、前記配信要求は、SMSCによって発信される。一実施形態において、前記終端ユーザは、ボイス-オーバー-ロング-ターム-エボリューション（VoLTE）ユーザである。一実施形態において、前記要求は、MAP-SRI-for SM要求である。
【０００７】
一実施形態において、前記HLRまたは前記HSSは、ユーザに対する静的プロビジョニング設定を有し、前記設定に従って前記要求を中継する。一実施形態において、ステップ（ｃ）はまた、前記ゲートウェイが回線交換ドメイン内の前記終端ユーザの位置と状態とを判断することを含む。一実施形態において、回線交換ドメイン内の前記ユーザの前記位置と前記状態とを取得するために、前記ゲートウェイは、前記受信されたルーティングクエリを前記HLRまたは前記HSSに送信する。
【０００８】
一実施形態において、制御機能において、登録イベントパッケージの通知要請を送信し、前記終端ユーザの連絡先と終端ユーザ状態とともに通知を、前記制御機能から受信することによって、前記ゲートウェイはステップ（ｃ）を実行する。
【０００９】
一実施形態において、前記制御機能は、前記ユーザに割り当てられたCSCFである。一実施形態において、前記終端ユーザが割り当てられた前記S-CSCFを検出するために、前記ゲートウェイはI-CSCFに通知要請メッセージを送信する。一実施形態において、前記ゲートウェイは、前記通知において、前記終端ユーザの連絡先とS-CSCF URIとユーザ状態とを受信する。
【００１０】
一実施形態において、前記ゲートウェイは、個々の配信試行の間隔よりも長い前記イベントパッケージの前記通知要請の有効期間を設定する。
【００１１】
一実施形態において、方法は、前記終端ユーザが前記IMSネットワーク内にも回線交換ネットワーク内にも存在しない場合に、前記発信ネットワーク要素は通知を受信するステップと、次に前記メッセージの送信を再試行するステップとを更に具備する。一実施形態において、前記通知は、配信エラー-コードを含む。
【００１２】
一実施形態において、前記発信ネットワーク要素は、SMSCである。
【００１３】
一実施形態において、前記発信ネットワーク要素は、前記終端ユーザのMSISDNのための前記HLRまたは前記HSS内のメッセージ待ちリストに自身を追加し、前記終端ユーザが前記IMSネットワークにおいて再び登録する場合、S-CSCFは、前記ゲートウェイに通知し、前記ゲートウェイは次に前記HLRまたは前記HSSに通知する。
【００１４】
一実施形態において、前記HLRまたは前記HSSへの前記通知は、前記HLRへのMAP-READY-FOR-SMを含み、前記HLRまたは前記HSSは、前記発信ネットワーク要素へ警報を送信し、次いで前記メッセージの新たな配信を試行する。
【００１５】
一実施形態において、前記ゲートウェイによって、MAP-SEND-ROUTING-INFO-FOR-SMが受信され、または代わりにMAP-MT-FORWARD-SHORT-MESSAGEが受信された場合、前記ゲートウェイは交換を実行する。
【００１６】
その他の側面において、本発明は、HLRまたはHSSと、ゲートウェイとを具備するモバイルネットワーク装置を提供し、前記HLRまたは前記HSSは、ルーティング要求を前記ゲートウェイに中継するように構成されており、前記ゲートウェイは、前記ルーティング要求の前記終端ユーザがIMSネットワークに接続しているかを動的に判断し、それに応じて回線交換ネットワーク要素またはIMSネットワーク要素を介して前記メッセージの転送を決定するように構成されている。
【００１７】
一実施形態において、前記ゲートウェイは、IP-SM-GWである。一実施形態において、前記HLRまたは前記HSSは、ユーザに対する静的プロビジョニング設定を有し、前記設定に従って前記要求を中継するように構成されている。
【００１８】
一実施形態において、前記ゲートウェイは、前記回線交換ドメイン内の前記終端ユーザの位置と状態とを判断し、前記回線交換ドメイン内の前記ユーザの前記位置と前記状態とを取得するために、前記HLRまたは前記HSSへ前記受信されたルーティングクエリを送信するように構成されている。
【００１９】
一実施形態において、前記ゲートウェイは、制御機能において登録イベントパッケージの通知要請を送信し、前記終端ユーザの連絡先と前記終端ユーザ状態とともに通知を前記制御機能から受信するように構成されている。
【００２０】
一実施形態において、前記ゲートウェイは、前記終端ユーザが割り当てられた前記S-CSCFを検出するために、通知要請メッセージをI-CSCFに送信し、前記通知において、前記終端ユーザの連絡先とS-SCSF URIとユーザ状態とを受信するように構成されている。
【００２１】
一実施形態において、前記ゲートウェイは、個々の配信試行の間隔よりも長い前記イベントパッケージの前記通知要請の有効期間を設定するように構成されている。
【００２２】
その他の側面において、本発明は、デジタルプロセッサによって実行された場合、上記のいずれの実施形態において規定されている方法が実行されるように構成されたソフトウェアを具備する非一時的なコンピュータ可読媒体を提供する。
【図面の簡単な説明】
【００２３】
本発明は、それに関するいくつかの実施形態の下記記載からさらに明瞭に理解されるだろう。下記記載は、添付図面を参照することのみの例として与えられる。
【図１】図１は、終端ユーザがＩＭＳドメイン内に存在しない実施形態を例示するメッセージシーケンスダイアグラムである。
【図２（ａ）】図２（ａ）は、MT-FORWARD SM RspがIP-SM-GWによって発信SMSCに送信されるメッセージシーケンスである。
【図２（ｂ）】図２（ｂ）は、MT-FORWARD SM RspがIP-SM-GWによって発信SMSCに送信されるメッセージシーケンスである。
【発明の詳細な説明】
【００２４】
HLRは、一般に、終端ユーザへの最終配信の前に、MAP-SEND-ROUTING-INFO-FOR-SMメッセージが転送され得る、且つモバイルターミネイテッドSMSトラフィック(MAP-MT-FORWARD-SHORT-MESSAGE)が傍受され、処理され得るMAP/SS7ネットワークにおいて、特殊なアプリケーションサーバグローバル名称を設定する、またはプロビジョンする機能性を提供する。この特徴は、IP-SM-GW機能にも使用され得る。
【００２５】
モバイルターミネイテッドSMSの配信が、IMSネットワークまたは回線交換ネットワークを通じて行われるべきかについて選択するための切り替え点として、HLRまたはHSSを使用する代わりに、IP-SM-GWはもっと効率的な方法でこの機能を行うことができる。
【００２６】
SMSCは、VoLTEユーザにモバイルターミネイテッドSMSを配信する必要がある場合、MAP-SEND-ROUTING-INFO-FOR-SMを終端ユーザのHLR/HSSに送信する。HLR/HSSは、VoLTEユーザの静的プロビジョニングを有し、MAP-SEND-ROUTING-INFO-FOR-SMをIP-SM-GWに中継する。IP-SM-GWは、回線交換ネットワーク内のユーザの位置と状態とを取得するためにMAP-SEND-ROUTING-INFO-FOR-SMをHLRに送信する。VoLTEユーザがIMS-ネットワークに接続されているかを知るために、IP-SM-GWは、S-CSCF内の登録イベントパッケージ（イベントレグ（event reg）：）の通知要請を送信する（SIP SUBSCRIBE）。SIP SUBSCRIBEは、終端ユーザが割り当てられているS-CSCFを見つけるためにI-CSCFを通じて送信されるべきである。IP-SM-GWは、終端ユーザの機器の連絡先とS-CSCF URIとIMSユーザ状態とともに通知（NOTIFY）を受信する。終端ユーザにSIPを介してモバイルターミネイテッドSMSを配信するために、この情報はIP-SM-GWによって使用され得る。IP-SM-GWに、S-CSCF内の登録イベントパッケージ（イベントレグ（event reg）：）の新たな通知要請を開始させるSMSC配信試行を利用するために、登録イベントパッケージの通知要請の有効期間は、送信SMSCの個々の配信試行の間隔よりも長くあるべきである。これは、まさに新たなサブスクライバーが開始される必要があるときに、IP-SM-GWが状態を維持することを妨げる。
【００２７】
もし、VoLTEユーザがIMSに登録されておらず、また回線交換ネットワークにも登録されていないことが原因で、モバイルターミネイテッドSMSの配信が失敗するならば、配信エラー-コードがSMSCに否定応答で返され、SMSは新たな配信試行のために再びスケジュールされる。そのメッセージの流れは図１に例示されている。SMSCはまた、MAP-REPORT-SM-DELIVERY-STATUSを使用するVoLTEユーザのMSISDN用のHLR内のメッセージ待ちデータ（Message Waiting Data：MWD）リストに自身を追加する。VoLTEユーザがIMSに再び登録する場合、S-CSCFは、IP-SM-GWに通知する。IP-SM-GWは次にMAP-READY-FOR-SMをHLRに送信する。VoLTEユーザのMSISDNとSMSCとは、HLR MWDリストにあるので、HLRはMAP-ALERT-SERVICE-CENTREをSMSCに送信する。VoLTEユーザに対するMAP-ALERT-SERVICE-CENTREを受信する場合、SMSCは、VoLTEユーザへのモバイルターミネイテッドSMSの新たな配信試行を行う。
【００２８】
本発明は、既存のHLRの特徴を使用して、モバイルターミネイテッドSMSのIMSユーザへの配信のためにMAP-SEND-ROUTING-INFO-FOR-SMをIP-SM-GWに中継することが理解されるだろう。本発明に起因するMAP/SS7-ネットワークに導入された追加のシグナリングはない。また、SMSCによって配信される予定のモバイルターミネイテッドSMSが無い場合、IMS-ネットワーク上で必要とされるシグナリングは無い。
【００２９】
本発明は、記載された実施形態に限定されるものではなく、構成及び細部において変更されてもよい。例えば、図２（ａ）と図２（ｂ）とに例示された他の実施形態において、交換の時は、IP-SM-GWによってMAP-SEND-ROUTING-INFO-FOR-SMが受信される時ではなく、IP-SM-GWによってMAP-MT-FORWARD-SHORT-MESSAGEが受信される時である。
【図１】
2018512022.tif 000003
【図２（ａ）】
2018512022.tif 000004
【図２（ｂ）】
2018512022.tif 000005
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
ショートメッセージをユーザ機器にルーティングする方法であって、
（ａ）発信ネットワーク要素からのルーティング要求を直接、終端ユーザのHLRまたはHSSに送信するステップと、
（ｂ）前記HLRまたは前記HSSによって前記要求をゲートウェイに中継するステップと、
（ｃ）前記ゲートウェイによって、前記終端ユーザがIMSネットワークに接続されているかを動的に判断するステップと、
（ｄ）前記ゲートウェイによって、回線交換ネットワーク要素またはIMSネットワーク要素を介して前記メッセージの転送を実行するかについて決定するステップと、
を含む方法。
【請求項２】
前記ゲートウェイは、IP-SM-GWである、請求項１記載の方法。
【請求項３】
前記配信要求は、SMSCによって発信される請求項１記載の方法。
【請求項４】
前記終端ユーザは、ボイス-オーバー-ロング-ターム-エボリューション（VoLTE）ユーザである請求項１記載の方法。
【請求項５】
前記要求は、MAP-SRI-for SM要求である請求項１記載の方法。
【請求項６】
前記HLRまたは前記HSSは、ユーザに対する静的プロビジョニング設定を有し、前記設定に従って前記要求を中継する請求項１記載の方法。
【請求項７】
ステップ（ｃ）は前記回線交換ドメイン内の前記終端ユーザの前記位置と前記状態とを判断することを更に含む請求項１記載の方法。
【請求項８】
前記回線交換ドメイン内の前記ユーザの前記位置と前記状態とを取得するために、前記ルーティング要求を前記HLRまたは前記HSSに送信することを更に含む請求項７記載の方法。
【請求項９】
制御機能において、登録イベントパッケージの通知要請を送信し、前記終端ユーザの連絡先と前記終端ユーザ状態とともに通知を、前記制御機能から受信することによって、前記ゲートウェイはステップ（ｃ）を実行する請求項１記載の方法。
【請求項１０】
前記制御機能は、前記終端ユーザに割り当てられたCSCFである請求項９記載の方法。
【請求項１１】
前記終端ユーザが割り当てられた前記S-CSCFを検出するために、前記ゲートウェイによって、I-CSCFに通知要請メッセージを送信することを更に含む請求項１０記載の方法。
【請求項１２】
前記ゲートウェイによって、前記通知において、前記終端ユーザの連絡先とS-CSCF URIとユーザ状態とを受信することを更に含む請求項９乃至１１のいずれか一項記載の方法。
【請求項１３】
前記ゲートウェイによって、個々の配信試行の間隔よりも長い前記イベントパッケージの前記通知要請の有効期間を設定することを更に含む請求項１２記載の方法。
【請求項１４】
前記終端ユーザが前記IMSネットワーク内にも回線交換ネットワーク内にも存在しないことの通知を前記発信ネットワーク要素が受信する場合、次の時に、前記メッセージの送信を再試行することを更に含む請求項１記載の方法。
【請求項１５】
前記通知は、配信エラー-コードを含む請求項１４記載の方法。
【請求項１６】
前記発信ネットワーク要素は、SMSCである請求項１４または１５のいずれか一項記載の方法。
【請求項１７】
前記発信ネットワーク要素によって、前記終端ユーザのMSISDNのための前記HLRまたは前記HSS内のメッセージ待ちリストに自身を追加するステップと、
S-CSCFによって、前記終端ユーザが前記IMSネットワークにおいて再び登録する場合、前記ゲートウェイに通知するステップと、
前記ゲートウェイによって、前記HLRまたは前記HSSに通知するステップとを更に具備する請求項１６記載の方法。
【請求項１８】
前記HLRまたは前記HSSへの前記通知は、前記HLRへのMAP-READY-FOR-SMを含み、前記HLRまたは前記HSSによって、前記発信ネットワーク要素へ警報を送信するステップと、前記警報を受信した後、前記発信ネットワークによって、前記メッセージの新たな配信を試行するステップとを更に具備する請求項１７記載の方法。
【請求項１９】
前記ゲートウェイがMAP-SEND-ROUTING-INFO-FOR-SMまたはMAP-MT-FORWARD-SHORT-MESSAGEを受信する場合、前記ゲートウェイによって、交換することを更に含む請求項１７記載の方法。
【請求項２０】
HLRまたはHSSと、ゲートウェイとを具備するモバイルネットワーク装置であって、
前記HLRまたは前記HSSは、ルーティング要求を前記ゲートウェイに中継するように構成されており、
前記ゲートウェイは、前記ルーティング要求の前記終端ユーザがIMSネットワークに接続しているかを動的に判断し、回線交換ネットワーク要素またはIMSネットワーク要素を介して前記メッセージの転送を実行するかについて決定するように構成されているモバイルネットワーク装置。
【請求項２１】
前記ゲートウェイは、IP-SM-GWである請求項２０記載の装置。
【請求項２２】
前記HLRまたは前記HSSは、ユーザに対する静的プロビジョニング設定を有し、前記設定に従って前記要求を中継するように構成されている請求項２１記載の装置。
【請求項２３】
前記ゲートウェイは、更に、前記回線交換ドメイン内の前記終端ユーザの位置と状態とを判断し、前記回線交換ドメイン内の前記ユーザの前記位置と前記状態とを取得するために、前記HLRまたは前記HSSへ前記受信されたルーティング要求を送信するように構成されている請求項２２記載の装置。
【請求項２４】
前記ゲートウェイは、更に、制御機能において登録イベントパッケージの通知要請を送信し、前記終端ユーザの連絡先と前記終端ユーザ状態とを含む通知を前記制御機能から受信するように構成されている請求項２３記載の装置。
【請求項２５】
前記ゲートウェイは、更に、前記終端ユーザが割り当てられた前記S-CSCFを検出するために、通知要請メッセージをI-CSCFに送信し、前記通知において、前記終端ユーザの連絡先とS-CSCF URIと前記ユーザ状態とを受信するように構成されている請求項２４記載の装置。
【請求項２６】
前記ゲートウェイは、更に、個々の配信試行の間隔よりも長い前記イベントパッケージの前記通知要請の有効期間を設定するように構成されている請求項２５記載の装置。
【請求項２７】
デジタルプロセッサによって実行された場合、請求項１乃至１１、１４乃至１５のいずれか一項の方法が実行されることを行うように構成されたソフトウェアを具備する非一時的なコンピュータ可読媒体。
【国際調査報告】
2018512022.tif 000006
2018512022.tif 000007